(57)【要約】【課題】走査電極と維持電極との互いの配置関係が表示電極対毎に入れ替わるように各電極が配列されたプラズマディスプレイパネルにおける輝度の向上と隣接する放電セル間のクロストークの低減とを両立させる。【解決手段】前面板と、前面板上に平行に配置され複数の表示電極対を構成する複数の走査電極２２および維持電極２３と、放電空間を挟んで前面板に対向配置される背面板と、背面板上に走査電極２２と交差する方向に配置される複数のデータ電極３２とを有するプラズマディスプレイパネル１１において、走査電極２２および維持電極２３の互いの配置関係が表示電極対２４毎に入れ替わるように走査電極２２および維持電極２３を配列するとともに、隣り合う維持電極２３間の間隙が、隣り合う走査電極２２間の間隙よりも狭くなるように走査電極２２および維持電極２３を設ける。【選択図】図６
2010218708.tif 000002
【特許請求の範囲】
【請求項１】
前面板と、
前記前面板上に平行に配置され複数の表示電極対を構成する複数の走査電極および維持電極と、
放電空間を挟んで前記前面板に対向配置される背面板と、
前記背面板上に前記走査電極と交差する方向に配置される複数のデータ電極とを有し、
前記走査電極および前記維持電極の互いの配置関係が前記表示電極対毎に入れ替わるように前記走査電極および前記維持電極を配列するとともに、
隣り合う前記維持電極間の間隙が、隣り合う前記走査電極間の間隙よりも狭くなるように前記走査電極および前記維持電極を設けたことを特徴とするプラズマディスプレイパネル。
【請求項２】
前記走査電極を駆動する走査電極駆動回路と、
前記維持電極を駆動する維持電極駆動回路と、
前記データ電極を駆動するデータ電極駆動回路とを備えるとともに、
請求項１に記載のプラズマディスプレイパネルを備えたことを特徴とするプラズマディスプレイ装置。
【発明の詳細な説明】
【技術分野】
【０００１】
本発明は、壁掛けテレビや大型モニターに用いられるプラズマディスプレイパネルおよびプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
図１は、従来技術におけるパネル１０の構造を示す分解斜視図である。ガラス製の前面板２１上には、１対の走査電極２２と維持電極２３とからなる表示電極対２４が互いに平行に複数形成されている。走査電極２２は、透明電極２２ａと、その透明電極２２ａ上に形成された金属母線２２ｂとから構成されている。同様に、維持電極２３は、透明電極２３ａと、その透明電極２３ａ上に形成された金属母線２３ｂとから構成されている。そして、隣り合う表示電極対２４の間には、発光時のコントラストを高めるために黒色材料からなる光吸収層２８が設けられている。そして走査電極２２と維持電極２３と光吸収層２８とを覆うように誘電体層２５が形成され、その誘電体層２５上に保護層２６が形成されている。
【０００４】
背面板３１上には互いに平行なデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【０００５】
これら前面板２１と背面板３１とは、微小な放電空間を挟んで表示電極対２４とデータ電極３２とが立体交差するように対向配置され、その外周部をガラスフリット等の封着材によって封着されている。そして、内部の放電空間には、例えば、分圧比で５％のキセノンを含むネオンとキセノンの混合ガスが放電ガスとして封入されている。このキセノンの分圧比を大きくすることで、発光効率を向上させることができる。放電空間は隔壁３４によって複数の区画に仕切られており、表示電極対２４とデータ電極３２とが対向して交差する部分に放電セルが形成される。このような構成のパネル１０において、各放電セル内でガス放電により紫外線を発生させ、この紫外線でＲ、Ｇ、Ｂの各色の蛍光体を励起発光させることによりカラーの画像を表示することができる。
【０００６】
一般的には、走査電極２２と維持電極２３とは、互いの配置関係が表示電極対２４毎に変化しないように、具体的には、走査電極２２−維持電極２３−走査電極２２−維持電極２３−・・・となるように、走査電極２２と維持電極２３とを互い違いに配列する。以下、このような順番で走査電極２２と維持電極２３とを配列した構造を、「ＡＢＡＢ電極構造」と呼称する。
【０００７】
一方、輝度の向上を図るために、走査電極２２と維持電極２３との互いの配置関係が表示電極対２４毎に入れ替わるように、具体的には、走査電極２２−走査電極２２−維持電極２３−維持電極２３−走査電極２２−走査電極２２−維持電極２３−維持電極２３−・・・となるように、走査電極２２と維持電極２３とを表示電極対２４毎に交番して配列した構造を有するパネル１０が提案されている（例えば、特許文献１参照）。以下、このような順番で走査電極２２と維持電極２３とを配列した構造を、「ＡＢＢＡ電極構造」と呼称する。
【０００８】
なお、パネル１０は、この「ＡＢＢＡ電極構造」を有するものとする。
【０００９】
図２は、「ＡＢＢＡ電極構造」を有するパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００１０】
このパネル１０を駆動する方法としては、サブフィールド法が一般的に用いられる。サブフィールド法では、１フィールドを時間軸上で複数のサブフィールド（例えば、第１ＳＦ、第２ＳＦ、・・・、第８ＳＦ、の８つのサブフィールド）に分割し、各サブフィールドのそれぞれに輝度重み（例えば、１、２、４、８、１６、３２、６４、１２８の輝度重み）を設定する。そして、各サブフィールドでは、この輝度重みに、あらかじめ設定された輝度倍率を乗じた数の維持パルスを発生させる。これにより、維持期間における発光の回数を制御して各サブフィールドの輝度を調整することができる。そして、サブフィールド毎に各放電セルの発光・非発光を制御することによって多階調の画像を表示することができる。
【００１１】
図３は、従来技術におけるパネル１０の走査電極２２、維持電極２３、光吸収層２８およびデータ電極３２の構成を概略的に示す平面図である。図３には、走査電極２２と、維持電極２３と、光吸収層２８と、データ電極３２とを実線で示す。あわせて、放電セルを破線で示す。
【００１２】
パネル１０は「ＡＢＢＡ電極構造」を有するため、走査電極２２と維持電極２３とは、配列されている。そのため、図面における上下方向に隣接する２つの放電セル（以下、「隣接する放電セル」は、図面における上下方向に隣接する２つの放電セルを示すものとする）では、走査電極２２同士が隣り合い、維持電極２３同士が隣り合う。
【００１３】
また、放電セルにおいて、走査電極２２と維持電極２３との間には放電を発生させるための間隙（以下、「放電ギャップ」と呼称する）が設けてある。この放電ギャップの幅は、例えば、８０μｍである。
【００１４】
また、隣接する放電セルの走査電極２２と走査電極２２との間、および維持電極２３と維持電極２３との間には、光吸収層２８を配置した間隙（Ｉｎｔｅｒ  ｐｉｘｅｌ  Ｇａｐ、以下、「ＩＰＧ」とも記す）が設けてある。このＩＰＧの幅は、例えば、１８５μｍである。
【００１５】
図４は、パネル１０の各電極に印加する駆動電圧波形図である。図４には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍの駆動波形を示す。
【００１６】
図４に示すように、各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（書込み放電を発生させるための励起粒子）を発生させる。
【００１７】
なお、サブフィールド法の１つとして、１フィールドのうちの１つのサブフィールドの初期化期間においては全ての放電セルに初期化放電を発生させる全セル初期化動作を行い、他のサブフィールドの初期化期間においては直前の維持期間で維持放電を行った放電セルに対してのみ選択的に初期化放電を発生させる選択初期化動作を行う駆動方法が開示されている。このように駆動することによって、階調表示に関係しない発光を全セル初期化動作における微弱発光だけとし、コントラストの高い画像表示が可能となる（例えば、特許文献２参照）。
【００１８】
図４には、２つのサブフィールドの駆動電圧波形、すなわち全セル初期化動作を行うサブフィールド（「全セル初期化サブフィールド」と呼称する）の第１サブフィールド（第１ＳＦ）と、選択初期化動作を行うサブフィールド（「選択初期化サブフィールド」と呼称する）の第２サブフィールド（第２ＳＦ）とを示す。なお、以下における走査電極ＳＣｉ、維持電極ＳＵｉ、データ電極Ｄｋは、各電極の中からサブフィールドデータ（サブフィールド毎の発光・非発光を示すデータ）にもとづき選択された電極を表す。
【００１９】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、０（Ｖ）から放電開始電圧以下の電圧Ｖｉ１を印加し、さらに電圧Ｖｉ１から、維持電極ＳＵ１〜維持電極ＳＵｎに対して放電開始電圧を超える電圧Ｖｉ２に向かって緩やかに上昇する傾斜波形電圧（以下、「上りランプ電圧」と呼称する）Ｌ１を印加する。
【００２０】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層２５、３３上、保護層２６上、蛍光体層３５上等に蓄積された壁電荷により生じる電圧を表す。
【００２１】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える負の電圧Ｖｉ４に向かって緩やかに下降する下り傾斜波形電圧（以下、「下りランプ電圧」と呼称する）Ｌ２を印加する。
【００２２】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。
【００２３】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、発光させるべき放電セルに選択的に書込み放電を発生させ壁電荷を形成する（以下、これらの動作を総称して「書込み」とも記す）。
【００２４】
この書込み期間では、まず維持電極ＳＵ１〜維持電極ＳＵｎに電圧Ｖｅ２を、走査電極ＳＣ１〜走査電極ＳＣｎに電圧Ｖｃ（Ｖｃ＝Ｖａ＋Ｖｓｃｎ）を印加する。
【００２５】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。これにより、データ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなって放電開始電圧を超え、データ電極Ｄｋと走査電極ＳＣ１との間に放電が発生する。また、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００２６】
一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行う。
【００２７】
続く維持期間では、輝度重みに所定の輝度倍率を乗じた数の維持パルスを、表示電極対２４を構成する走査電極２２と維持電極２３とに交互に印加する。こうして、書込み放電を起こした放電セルで維持放電を発生させ、対応する放電セルの蛍光体層３５を発光させる。
【００２８】
具体的には、まず走査電極ＳＣ１〜走査電極ＳＣｎに正の維持パルス電圧Ｖｓを印加するとともに維持電極ＳＵ１〜維持電極ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００２９】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３０】
続いて、走査電極ＳＣ１〜走査電極ＳＣｎには０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起きる。以降同様に、走査電極ＳＣ１〜走査電極ＳＣｎと維持電極ＳＵ１〜維持電極ＳＵｎとに輝度重みに輝度倍率を乗じた数の維持パルスを交互に印加する。こうして、書込み期間において書込み放電を起こした放電セルで維持放電が継続して行われる。
【００３１】
こうして、所定の数の維持パルスを発生して、維持期間における維持動作が終了する。
【００３２】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から負の電圧Ｖｉ４に向かって緩やかに下降する下りランプ電圧Ｌ３を印加する。
【００３３】
これにより直前のサブフィールド（図４では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、前のサブフィールドで維持放電が起こらなかった放電セルについては放電することはなく、前のサブフィールドの初期化期間終了時における壁電荷の状態がそのまま保たれる。
【００３４】
第２ＳＦの書込み期間および維持期間では、各電極に対して第１ＳＦの書込み期間および維持期間と同様の駆動波形を印加する。また、第３ＳＦ以降のサブフィールドにおける駆動電圧波形は、維持期間における維持パルスの発生数が異なる以外は第２ＳＦの駆動電圧波形とほぼ同様である。
【００３５】
図５は、従来技術におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５、および各回路ブロックに必要な電力を供給する電源回路（図示せず）を備えている。
【００３６】
画像信号処理回路４１は、パネル１０の画素数に応じて、入力された画像信号ｓｉｇをサブフィールド毎の発光・非発光を示すサブフィールドデータに変換する。
【００３７】
タイミング発生回路４５は、水平同期信号Ｈおよび垂直同期信号Ｖにもとづき各回路ブロックの動作を制御する各種のタイミング信号を発生し、それぞれの回路ブロック（画像信号処理回路４１、データ電極駆動回路４２、走査電極駆動回路４３および維持電極駆動回路４４）へ供給する。
【００３８】
データ電極駆動回路４２は、サブフィールド毎の画像データを各データ電極Ｄ１〜データ電極Ｄｍに対応する信号に変換し、タイミング信号にもとづいて各データ電極Ｄ１〜データ電極Ｄｍを駆動する。
【００３９】
走査電極駆動回路４３は、初期化期間において走査電極ＳＣ１〜走査電極ＳＣｎに印加する初期化波形を発生するための初期化波形発生回路（図示せず）、書込み期間において走査電極ＳＣ１〜走査電極ＳＣｎに印加する走査パルスを発生するための走査パルス発生回路（図示せず）、維持期間において走査電極ＳＣ１〜走査電極ＳＣｎに印加する維持パルスを発生するための維持パルス発生回路（図示せず）を有する。そして、タイミング信号にもとづいて各走査電極ＳＣ１〜走査電極ＳＣｎをそれぞれ駆動する。
【００４０】
維持電極駆動回路４４は、維持パルス発生回路および電圧Ｖｅ１、電圧Ｖｅ２を発生するための回路（図示せず）を備え、タイミング信号にもとづいて維持電極ＳＵ１〜維持電極ＳＵｎを駆動する。
【００４１】
上述したように、走査電極２２と維持電極２３とは互いに平行に対をなして形成されている。そのため、走査電極２２と維持電極２３との間には電極間容量Ｃｐが存在する。維持期間において走査電極２２と維持電極２３とに交互に維持パルスを印加する際に、この電極間容量Ｃｐを充電するために消費される電力が発生する。この電力は、発光に寄与することなく消費される電力（以下、「無効電力」と呼称する）である。したがって、プラズマディスプレイ装置１における消費電力を削減するためには、この無効電力をできるだけ低減することが望ましい。
【００４２】
また、近年では、パネルの大画面化、高精細化が進み、それにともないパネルにおける電極間容量Ｃｐが増大する傾向にある。電極間容量Ｃｐが増大すると、無効電力も増加する。
【００４３】
このとき、「ＡＢＢＡ電極構造」を有するパネル１０は、走査電極２２同士が隣り合い、維持電極２３同士が隣り合う構造であるため、維持期間における維持動作の際に隣接する放電セル間で維持パルス電圧の変化を同相にすることができる。したがって、「ＡＢＢＡ電極構造」を有するパネル１０では、走査電極２２と維持電極２３とが常に隣り合うように構成された「ＡＢＡＢ電極構造」を有するパネルと比較して、維持動作の際の無効電力を削減することができる。
【特許文献１】特開平８−２１２９３３号公報
【特許文献２】特開２０００−２４２２２４号公報
【発明の開示】
【発明が解決しようとする課題】
【００４４】
「ＡＢＢＡ電極構造」を有するパネル１０では、隣接する放電セル間で維持パルスが同相となるので、維持期間における隣接する放電セル間の電位差が実質的に０（Ｖ）になる。そのため、「ＡＢＡＢ電極構造」を有するパネルと比較して、隣接する放電セル間における電界の差が非常に小さくなり、隣接する放電セル間で電荷の移動が発生しやすい。このような、隣接する放電セル間で一方の放電セルから他方の放電セルへ電荷が移動する現象（以下、このような現象を「クロストーク」と呼称する）が発生すると、このクロストークに起因する異常な維持放電が発生することがある。そのような異常な維持放電は画像表示品質を劣化させてしまうため、できるだけ発生させないことが望ましい。
【００４５】
一方、クロストークとＩＰＧの幅とには関連があり、ＩＰＧを広くすることで、クロストークの発生を低減することができる。そのため、「ＡＢＢＡ電極構造」を有するパネル１０では、「ＡＢＡＢ電極構造」を有するパネルと比較してＩＰＧを広くすることが望ましい。
【００４６】
しかしながら、画像表示面に形成される放電セルの数を減らすことなくＩＰＧを広くするためには、走査電極および維持電極の双方、またはいずれか一方の電極の幅を狭くしなければならない。そうすると、放電セルの大きさが小さくなって、開口率（画像表示面において放電セルが占める面積の割合のこと）が下がり、輝度が下がる。
【００４７】
本発明はこのような課題に鑑みなされたものであり、走査電極と維持電極との互いの配置関係が表示電極対毎に入れ替わるように走査電極および維持電極が配列されたパネルにおいて、輝度の向上と隣接する放電セル間のクロストークの低減とを両立して、画像表示品質を向上させることができるパネルおよびプラズマディスプレイ装置を提供することを目的とする。
【課題を解決するための手段】
【００４８】
本発明のパネルは、前面板と、前面板上に平行に配置され複数の表示電極対を構成する複数の走査電極および維持電極と、放電空間を挟んで前面板に対向配置される背面板と、背面板上に走査電極と交差する方向に配置される複数のデータ電極とを有し、走査電極および維持電極の互いの配置関係が表示電極対毎に入れ替わるように走査電極および維持電極を配列するとともに、隣り合う維持電極間の間隙が、隣り合う走査電極間の間隙よりも狭くなるように走査電極および維持電極を設けたことを特徴とする。
【００４９】
これにより、走査電極と維持電極との互いの配置関係が表示電極対毎に入れ替わるように走査電極および維持電極が配列されたパネルにおいて、輝度の向上と隣接する放電セル間のクロストークの低減とを両立することができる。
【００５０】
また、本発明のプラズマディスプレイ装置は、走査電極を駆動する走査電極駆動回路と、維持電極を駆動する維持電極駆動回路と、データ電極を駆動するデータ電極駆動回路とを備えるとともに、上述したパネルを備えたことを特徴とする。
【００５１】
これにより、走査電極と維持電極との互いの配置関係が表示電極対毎に入れ替わるように走査電極および維持電極が配列されたパネルを用いたプラズマディスプレイ装置において、輝度の向上と隣接する放電セル間のクロストークの低減とを両立することができるので、プラズマディスプレイ装置の画像表示品質を向上させることができる。
【発明の効果】
【００５２】
本発明によれば、走査電極と維持電極との互いの配置関係が表示電極対毎に入れ替わるように走査電極および維持電極が配列されたパネルにおいて、輝度の向上と隣接する放電セル間のクロストークの低減とを両立して、画像表示品質を向上させることができるパネルおよびプラズマディスプレイ装置を提供することが可能となる。
【発明を実施するための最良の形態】
【００５３】
以下、本発明の実施の形態におけるパネルについて、図面を用いて説明する。
【００５４】
（実施の形態）
図６は、本発明の一実施の形態におけるパネル１１の走査電極２２、維持電極２３およびデータ電極３２の構成を概略的に示す平面図である。図６には、走査電極２２と、維持電極２３と、光吸収層２８と、データ電極３２とを実線で示す。あわせて、放電セルを破線で示す。
【００５５】
本実施の形態に示すパネル１１は、図３に示したパネル１０と同様に「ＡＢＢＡ電極構造」を有するため、走査電極２２と維持電極２３とは、互いの配置関係が表示電極対２４毎に入れ替わるように配列されている。したがって、図面における上下方向に隣接する２つの放電セルでは、走査電極２２同士が隣り合い、維持電極２３同士が隣り合う。
【００５６】
このように、本実施の形態に示すパネル１１は、各構成要素はパネル１０と実質的に等しく、パネル１１に印加する駆動波形等も従来技術で説明したものと実質的に等しい。したがって、パネル１１を備えるプラズマディスプレイ装置の構成も、パネル１０を備えるプラズマディスプレイ装置１の構成と実質的に等しい。そこで、本実施の形態では、パネル１０と共通の構成については説明を省略し、パネル１０と異なる構成について説明する。
【００５７】
パネル１１において、走査電極２２と維持電極２３との間に設けた放電ギャップの幅は、図３に示したパネル１０と同様であり、例えば、８０μｍである。
【００５８】
一方、本実施の形態におけるパネル１１では、隣接する放電セルにおいて、隣り合う維持電極２３間の間隙（ＩＰＧ）が、隣り合う走査電極２２間の間隙（ＩＰＧ）よりも狭くなるように走査電極２２および維持電極２３を設けている。
【００５９】
これは、次のような理由による。
【００６０】
「ＡＢＢＡ電極構造」を有するパネル１１では、同種の電極が隣り合う（走査電極２２同士が隣り合い、維持電極２３同士が隣り合う）ので、隣接する放電セル間で維持パルスが同相となる。そのため、上述したように、「ＡＢＡＢ電極構造」を有するパネルと比較して、隣接する放電セル間における電界の差が小さくなってクロストークが発生しやすい。そして、一方の放電セルが発光し、他方の放電セルが非発光のときに、それらの放電セル間にクロストークが発生すると、非発光であるはずの放電セルでクロストークを原因とする異常な維持放電が発生することがある。
【００６１】
ここで、本発明者は、従来技術によるパネル１０を用い、維持放電させる放電セルＡと、放電セルＡに隣接する維持放電させない放電セルＢとの間で発生するクロストークに関する実験を行った。そして、走査電極２２同士が隣り合って隣接する放電セルの方が、維持電極２３同士が隣り合って隣接する放電セルよりも、クロストークに起因する異常な維持放電が発生する頻度が高いことを確認した。
【００６２】
これは、以下のような理由によるものと思われる。
【００６３】
放電セルＡと放電セルＢとが隣接し、放電セルＡが維持放電し、放電セルＢが維持放電しないときには、維持放電で発生した電荷が放電セルＡから放電セルＢに向かって移動するクロストークが発生する。この電荷は放電セルＢ内に完全に移動してしまうのではなく、放電セルＡと放電セルＢとの間に留まって蓄積される。
【００６４】
そして、次に放電セルＡが非発光、放電セルＢが発光となるサブフィールドにおいて、維持期間における最初の維持動作で、放電セルＢで発生した維持放電が放電セル間に蓄積された電荷を介して放電セルＡに漏れ込むことがある。
【００６５】
放電セルでは、書込みがなされていなくとも、一旦維持放電が発生すると、以降、維持放電が継続して発生する。したがって、放電セルＡでは、書込みがなされていないにもかかわらず、放電セルＢから漏れ込んできた維持放電が種火となって、維持放電が発生する。このようにして、放電セルＡで異常な維持放電が発生する。
【００６６】
このとき、図４に示したように、走査電極２２および維持電極２３に印加される駆動波形は、初期化期間、書込み期間において異なる。このような駆動波形の違い等により、放電セル間に蓄積された電荷は、維持電極２３間においては比較的留まりにくく、それに対し、走査電極２２間においては比較的留まりやすいものと思われる。
【００６７】
そのため、維持電極２３同士が隣り合って隣接する放電セルよりも、走査電極２２同士が隣り合って隣接する放電セルの方が、クロストークに起因する異常な維持放電が発生しやすいものと思われる。
【００６８】
これらのことより、本実施の形態においては、図６に示すように、比較的クロストークが発生しやすい走査電極２２間においては、クロストークの発生を抑えるのに十分な幅のＩＰＧを設け、走査電極２２間と比較してクロストークが発生しにくい維持電極２３間においては、走査電極２２間のＩＰＧよりも幅が狭いＩＰＧを設けてパネル１１を構成するものとする。
【００６９】
例えば、本実施の形態における一例としては、走査電極２２間のＩＰＧの幅を１８５μｍとし、維持電極２３間のＩＰＧの幅を１４０μｍとする構成を挙げることができる。
【００７０】
これにより、パネル１１においては、従来技術に示したパネル１０と比較して、維持電極２３間のＩＰＧを狭くすることができ、ＩＰＧを狭くした分、走査電極２２および維持電極２３の双方、またはいずれか一方の幅を広くすることができる。したがって、パネル１１では、パネル１０と比較して、放電セルの大きさを大きくして、開口率を上げ、輝度を上げることができる。
【００７１】
以上示したように、本実施の形態においては、走査電極２２間と比較してクロストークが発生しにくい維持電極２３間のＩＰＧを、走査電極２２間のＩＰＧよりも幅を狭くするものとする。これにより、パネル１１における開口率を従来技術に示したパネル１０と比較して上げることができ、パネル１１における輝度の向上と、隣接する放電セル間に発生するクロストークの低減とを両立して、パネル１１を用いたプラズマディスプレイ装置における画像表示品質を向上させることができる。
【００７２】
なお、本発明の実施の形態において示した具体的な各数値は、実施の形態における一例を示したものに過ぎず、本発明はこれらの数値に何ら限定されるものではない。各数値は、パネルの特性やプラズマディスプレイ装置の仕様等にあわせて最適に設定することが望ましい。
【産業上の利用可能性】
【００７３】
本発明は、走査電極と維持電極との互いの配置関係が表示電極対毎に入れ替わるように走査電極および維持電極が配列されたパネルにおいて、輝度の向上と隣接する放電セル間のクロストークの低減とを両立して、画像表示品質を向上させることができるので、パネルおよびプラズマディスプレイ装置として有用である。
【図面の簡単な説明】
【００７４】
【図１】従来技術におけるパネルの構造を示す分解斜視図
【図２】「ＡＢＢＡ電極構造」を有するパネルの電極配列図
【図３】従来技術におけるパネルの走査電極、維持電極、光吸収層およびデータ電極の構成を概略的に示す平面図
【図４】同パネルの各電極に印加する駆動電圧波形図
【図５】従来技術におけるプラズマディスプレイ装置の回路ブロック図
【図６】本発明の一実施の形態におけるパネルの走査電極、維持電極およびデータ電極の構成を概略的に示す平面図
【符号の説明】
【００７５】
１    プラズマディスプレイ装置
１０，１１    パネル（プラズマディスプレイパネル）
２１    （ガラス製の）前面板
２２    走査電極
２２ａ，２３ａ    透明電極
２２ｂ，２３ｂ    金属母線
２３    維持電極
２４    表示電極対
２５，３３    誘電体層
２６    保護層
２８    光吸収層
３１    背面板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
【図１】
2010218708.tif 000003
【図２】
2010218708.tif 000004
【図３】
2010218708.tif 000005
【図４】
2010218708.tif 000006
【図５】
2010218708.tif 000007
【図６】
2010218708.tif 000008